(57)【要約】最初にチャネルの自己のクラスタを検索し、次に空チャネルが検出されるまでチャネルの次のクラスタを検索することにより、呼にチャネルを割り当てるシステム(1)は、検索結果に依存してクラスタ優先度を更新する更新オプションを備える。前記システム(1)は、更新と呼処理を統合しており、分離された更新及び呼処理に比較して自己編成機能の効率を改善する。前記の更新は、利用可能なチャネルを有するクラスタのクラスタ優先度を増加させることと、利用可能なチャネルを有さないクラスタのクラスタ優先度を減少させることを有してもよい。元のクラスタは、チャネルを呼に割り当てる要求を受信するセルに対応してもよく、次のクラスタ又は借用されるクラスタは、周辺のセルに対応してもよい。前記の更新は、借用されるクラスタに対して行われてもよく、元のクラスタに対して行われなくてもよい。
2005528048.tif 000002
【特許請求の範囲】
【請求項１】
呼にチャネルを割り当てるシステムであって、
前記呼の要求を受信する受信システム部を有し、
チャネルのクラスタ内で利用可能なチャネルを検索する検索システム部を有し、
第１の検索結果に応じて、前記クラスタ内で前記呼に割り当てられる利用可能なチャネルを選択し、第２の検索結果に応じて、少なくとも１つのクラスタ優先度に依存して前記検索システム部により検索される次のクラスタを選択する選択システム部を有し、
少なくとも１つの検索結果に依存して少なくとも１つのクラスタ優先度を更新する更新システム部を有することを特徴とするシステム。
【請求項２】
請求項１に記載のシステムであって、
前記更新システム部が、利用可能なチャネルを有するクラスタのクラスタ優先度を増加させ、利用可能なチャネルを有さないクラスタのクラスタ優先度を減少させる増加／減少システム部を有することを特徴とするシステム。
【請求項３】
請求項２に記載のシステムであって、
チャネルの少なくとも１つのクラスタが、少なくとも２つのチャネルを有するセルである少なくとも１つの元のクラスタに対応することを特徴とするシステム。
【請求項４】
請求項３に記載のシステムであって、
チャネルの少なくとも１つの次のクラスタが、借用されるチャネルを有する周辺のセルである少なくとも１つの借用されるクラスタに対応し、前記更新システム部が、借用されるクラスタのクラスタ優先度を更新し、元のクラスタのクラスタ優先度を更新しないことを特徴とするシステム。
【請求項５】
請求項１又は２に記載のシステムであって、
前記検索システム部が空チャネル又は空きでないチャネルを検出する検出システム部を有することを特徴とするシステム。
【請求項６】
請求項１又は２に記載のシステムであって、
前記検索システム部が、チャネル優先度を相互に比較する比較システム部を有することを特徴とするシステム。
【請求項７】
請求項１又は２に記載のシステムであって、
前記検索システム部が、チャネル干渉信号を閾値の信号と比較する比較システム部を有することを特徴とするシステム。
【請求項８】
チャネルを介して端末と通信するネットワークユニットであって、
呼にチャネルを割り当てるシステムを有し、
前記呼の要求を受信する受信システム部を有し、
チャネルのクラスタ内で利用可能なチャネルを検索する検索システム部を有し、
第１の検索結果に応じて、前記クラスタ内で前記呼に割り当てられる利用可能なチャネルを選択し、第２の検索結果に応じて、少なくとも１つのクラスタ優先度に依存して前記検索システム部により検索される次のクラスタを選択する選択システム部を有し、
前記システムが、少なくとも１つの検索結果に依存して少なくとも１つのクラスタ優先度を更新する更新システム部を有することを特徴とするネットワークユニット。
【請求項９】
呼にチャネルを割り当てる方法であって、
前記呼の要求を受信するステップと、
チャネルのクラスタ内で利用可能なチャネルを検索するステップと、
第１の検索結果に応じて、前記クラスタ内で前記呼に割り当てられる利用可能なチャネルを選択し、第２の検索結果に応じて、少なくとも１つのクラスタ優先度に依存して検索される次のクラスタを選択するステップと
を有し、
少なくとも１つの検索結果に依存して少なくとも１つのクラスタ優先度を更新するステップを有することを特徴とする方法。
【請求項１０】
呼にチャネルを割り当てるプロセッサプログラム製品であって、
前記呼の要求を受信する機能と、
チャネルのクラスタ内で利用可能なチャネルを検索する機能と、
第１の検索結果に応じて、前記クラスタ内で前記呼に割り当てられる利用可能なチャネルを選択し、第２の検索結果に応じて、少なくとも１つのクラスタ優先度に依存して検索される次のクラスタを選択する機能と
を有し、
少なくとも１つの検索結果に依存して少なくとも１つのクラスタ優先度を更新する機能を有することを特徴とするプロセッサプログラム製品。
【発明の詳細な説明】
【技術分野】
【０００１】
本発明は、呼にチャネルを割り当て、前記呼の要求を受信する受信システム部を有し、チャネルのクラスタ内で利用可能なチャネルを検索する検索システム部を有し、第１の検索結果に応じて、前記クラスタ内で前記呼に割り当てられる利用可能なチャネルを選択し、第２の検索結果に応じて、少なくとも１つのクラスタ優先度に依存して前記検索システム部により検索される次のクラスタを選択する選択システム部を有するシステムに関するものである。
【０００２】
本発明はまた、チャネルを介して端末と通信するネットワークユニットに関するものであり、呼にチャネルを割り当てるシステムを有し、前記呼の要求を受信する受信システム部を有し、チャネルのクラスタ内で利用可能なチャネルを検索する検索システム部を有し、第１の検索結果に応じて、前記クラスタ内で前記呼に割り当てられる利用可能なチャネルを選択し、第２の検索結果に応じて、少なくとも１つのクラスタ優先度に依存して前記検索システム部により検索される次のクラスタを選択する選択システム部を有する。更に、本発明は、呼にチャネルを割り当て、前記呼の要求を受信するステップと、チャネルのクラスタ内で利用可能なチャネルを検索するステップと、第１の検索結果に応じて、前記クラスタ内で前記呼に割り当てられる利用可能なチャネルを選択するステップと、第２の検索結果に応じて、少なくとも１つのクラスタ優先度に依存して検索される次のクラスタを選択するステップとを有する方法に関するものである。更に、本発明は、呼にチャネルを割り当て、前記呼の要求を受信する機能と、チャネルのクラスタ内で利用可能なチャネルを検索する機能と、第１の検索結果に応じて、前記クラスタ内で前記呼に割り当てられる利用可能なチャネルを選択する機能と、第２の検索結果に応じて、少なくとも１つのクラスタ優先度に依存して検索される次のクラスタを選択する機能とを有するプロセッサプログラム製品に関するものである。
【０００３】
このようなシステムは、例えばプロセッサ／メモリと連絡し、例えば利用可能なチャネルを検出するためにチャネル及びチャネルのクラスタを検索する順序を規定し、例えば移動体通信用の基地局(GSM等)や、移動体通信用のノード(UMTS等)や、コードレス通信用の基地局(DECT等)等のようにネットワークユニットの一部を構成する。
【背景技術】
【０００４】
従来技術は、US6,219,554により既知であり、無線周波数チャネルを介した移動体ユニット(端末)との通信用の基地局と、基地局コントローラと、スイッチングセンタ(１つ以上のネットワークユニット)を開示し、要求された呼にチャネルを割り当てる前記従来技術のシステムを有する。US6,219,554の第２段落の最初の部分に記載されているように、このシステムは呼の要求を受信すると、クラスタで利用可能なチャネルを検索し、(このクラスタで利用可能なチャネルが見つかった時に)第１の検索結果に応じて、前記呼に割り当てられる利用可能なチャネルを選択する。US6,219,554の第１段落の最後の部分に記載されているように、(このクラスタで利用可能なチャネルが全く見つからない時に)第２の検索結果に応じて、前記システムは検索される次のクラスタを選択する。
【発明の開示】
【発明が解決しようとする課題】
【０００５】
既知のシステムには、特に、自己編成の非効率性のため、低トラヒックの期間にチャネルの可能性を再計算して、計算された可能性に基づいてチャネル内のリストを再構築する走査モードを有して動的周波数関連付け(DFA:Dynamic  Frequency  Association)技術が起動されるという欠点がある。この走査モードは、呼処理モードから切り離されている。
【課題を解決するための手段】
【０００６】
特に、(更に)効率的に自己編成を行う前文に記載されたシステムを提供することが本発明の目的である。
【０００７】
本発明によるシステムは、そのシステムが少なくとも１つの検索結果に依存して少なくとも１つのクラスタ優先度を更新する更新システム部を有することを特徴とする。
【０００８】
前記更新システム部は、少なくとも１つの検索結果に依存して少なくとも１つのクラスタ優先度を更新する。換言すると、クラスタ優先度は、利用可能なチャネルの検出の有無の結果に応じて更新される。従って、呼処理モードから完全に切り離された走査モードを開示する従来技術に対して、本発明によるシステムは、更新処理と呼処理を統合する。
【０００９】
本発明は、特に、一方で分離された再計算と再構築を行い、他方で呼処理を行うことが非効率であるという認識に基づいており、特に更新と呼処理が結合され得るという基本的な概念に基づいている。
【００１０】
本発明は、特にチャネルを呼に割り当てる更に効率的なシステムを提供する課題を解決し、特にこのシステムが更新と呼処理を統合しているという点で有利である。
【００１１】
請求項２に記載された本発明によるシステムの第１の実施例は、更新システム部が、利用可能なチャネルを有するクラスタのクラスタ優先度を増加させ、利用可能なチャネルを有さないクラスタのクラスタ優先度を減少させる増加／減少システム部を有する点で有利である。
【００１２】
空チャネルを有する／有さない前記クラスタに依存したクラスタ優先度の前記増加／減少は、一般的に１つ以上の次の検索の効率性を改善する。
【００１３】
請求項３に記載された本発明によるシステムの第２の実施例は、チャネルの少なくとも１つのクラスタが、少なくとも２つのチャネルを有するセルである少なくとも１つの元のクラスタに対応するという点で有利である。
【００１４】
セルの形式での元のクラスタに対応するチャネルの前記クラスタは、固定チャネル割り当て(FCA:Fixed  Channel  Allocation)、動的チャネル割り当て(DCA:Dynamic  Channel  Allocation)及びハイブリッドチャネル割り当て(HCA:Hybrid  Channel  Allocation)に加えて新たな機構を導入する。
【００１５】
請求項４に記載された本発明によるシステムの第３の実施例は、チャネルの少なくとも１つの次のクラスタが、借用されるチャネルを有する周辺のセルである少なくとも１つの借用されるクラスタに対応するという点で有利であり、前記更新システム部が、借用されるクラスタのクラスタ優先度を更新し、元のクラスタのクラスタ優先度を更新しない。
【００１６】
周辺のセルの形式での借用されるクラスタに対応するチャネルの前記次のクラスタは、前記部分的な更新と共に、進んで新たな機構を導入する。
【００１７】
請求項５に記載された本発明によるシステムの第４の実施例は、検索システム部が空チャネル又は空きでないチャネルを検出する検出システム部を有するという点で有利である。
【００１８】
検出システム部を有するこの検索システム部は、少なくとも１つの空チャネル又は空きでないチャネルを示す１つ以上の検索結果を生成する。
【００１９】
請求項６に記載された本発明によるシステムの第５の実施例は、検索システム部がチャネル優先度を相互に比較する比較システム部を有するという点で有利である。
【００２０】
比較システム部を有するこの検索システム部は、少なくとも１つのチャネル優先度を示す１つ以上の結果を生成する。
【００２１】
請求項７に記載された本発明によるシステムの第６の実施例は、検索システム部がチャネル干渉信号を閾値の信号と比較する比較システム部を有するという点で有利である。
【００２２】
比較システム部を有するこの検索システム部は、少なくとも１つのチャネル干渉を示す１つ以上の検索結果を生成する。前記閾値の信号は、所定の信号でもよく、又はその他のチャネル干渉信号でもよい。その場合にはチャネル干渉信号が相互に比較される。
【００２３】
留意すべき点は、US6,219,554は、チャネル優先度とは異なり、利用可能であるか否かの機会を示すチャネルの可能性を開示することである。このチャネルの可能性は、呼処理と分離して再計算されて再構築される。US6,219,554はクラスタ優先度について開示していない。通常ではクラスタは２つ以上のチャネルを有する。
【００２４】
本発明によるネットワークユニットの実施例と、本発明による方法の実施例と、本発明によるプロセッサプログラム製品の実施例は、本発明によるシステムの実施例に対応する。
【００２５】
本発明の前記及び他の態様が、後述の実施例を参照して明らかになる。
【発明を実施するための最良の形態】
【００２６】
本発明によるネットワークユニット2は、本発明によるシステム1と、(移動体)端末と(無線)通信するアンテナに入出力が結合されたトランシーバ3とを有する。システム1は、入力がトランシーバ3の出力に結合され、出力がバス15に結合された受信システム部4を有する。システム1は、検出システム部9と、第１の比較システム部10と、第２の比較システム部11と、更なるシステム部12を有する検索システム部5とを更に有し、全てがバス15に結合される。システム1はまた、選択システム部6と、増加／減少システム部8を有する更新システム部7を有し、全てがバス15に結合される。更にシステム1は、メモリ14と、(バス)コントローラ16とを有し、双方がバス15に結合され、また出力がトランシーバ3の入力に結合され入力がバス15に結合された送信システム部13を有する。
【００２７】
本発明によるシステム1は以下のように機能する。新しい呼が設定される要求又はハンドオーバ／ハンドオフを必要とする既存の呼の要求がトランシーバ3に到達し、そのトランシーバ3がこの要求から情報を抽出し、及び／又はこの要求(の一部)を情報に変換し、例えばプロセッサ(全システム部4-13とバス15とコントローラ16)とメモリ14を有するプロセッサシステム4-16に対応するシステム1にデジタル情報を供給する。受信システム部4は、このデジタル情報を受信し、コントローラ16に通知し、そのコントローラ16は、(バス15を介して)このデジタル情報(の一部)をバス15に入力するように受信システム部4に命令し、及び／又は例えばネットワークユニット2により提供されるセルに対応するチャネルの元のクラスタで公称の空チャネルを検索し始めるように検索システム部5に命令する。
【００２８】
更に、検索システム部5は、(バス15を介して)このクラスタの何らかの空チャネルを検出するためにメモリ14を調べる検出システム部9を有する。次に２つの考えられる結果が存在する。第１の結果は未だに１つ以上の空チャネルが存在することを示し、第２の結果はこのクラスタに空チャネルが存在しないことを示す。
【００２９】
第１の結果によれば、第１の比較システム部10は未だに利用可能なチャネルのチャネル優先度を相互に比較し、第２の比較システム部11は最高のチャネル優先度を有する空チャネルのチャネル干渉信号と閾値の信号とを比較する。干渉の基準が満たされる場合には、最高のチャネル優先度を有するこの空チャネルは、例えば選択システム部6により選択されたコントローラ16の制御下になり、要求(第１の検索結果)に対して割り当てられる。干渉の基準が満たされない場合には、最高のチャネル優先度以外のものを有する次の空チャネルのチャネル干渉信号が閾値の信号と比較され、干渉の基準が満たされて要求(第１の検索結果)に対して空チャネルの割り当てを生じるまで、又はこの元のクラスタに空チャネルが存在せずに第２の結果(第２の検索結果)を生じるまで、同様に行われる。
【００３０】
第２の結果によれば、例えばコントローラ16の制御下で選択システム部6は、検索システム部5により検索される次のクラスタを選択する。更に、選択システム部6は、メモリ14を検索し、例えばクラスタ優先度を相互に比較する第３の比較システム部に対応する更なるシステム部12を介して、最高のクラスタ優先度を備えたチャネルの次のクラスタを選択する。例えばこのチャネルの次のクラスタは、例えば周辺のネットワークユニットにより提供される周辺のセルに対応する。
【００３１】
検索システム部5は、再び検出システム部9を介してこのチャネルの次のクラスタで空チャネルを検索し始めるように命令され、その検出システム部9は、この次のクラスタの何らかの空チャネルを検出するために(バス15を介して)メモリ14を検索する。次に、２つの考えられる結果が存在する。第３の結果は未だに１つ以上の空チャネルが存在することを示し、第４の結果はこの次のクラスタに空チャネルが存在しないことを示す。
【００３２】
第３の結果によれば、第１の比較システム部10は未だに利用可能なチャネルのチャネル優先度を相互に比較し、第２の比較システム部11は最高のチャネル優先度を有する空チャネルのチャネル干渉信号と閾値の信号とを比較する。干渉の基準が満たされる場合には、最高のチャネルのチャネル優先度を有するこの空チャネルは、選択システム部6により選択され、要求(第１の検索結果に対応する第３の検索結果)に対して割り当てられる。しかし、この次のクラスタのクラスタ優先度は、例えばコントローラ16の制御下で、例えば“1”の値だけこの次のクラスタのクラスタ優先度を増加させる例えば増加／減少システム部8を有する更新システム部7により更新される。干渉の基準が満たされない場合には、最高のチャネル優先度以外のものを有する次の空チャネルのチャネル干渉信号が閾値の信号と比較され、干渉の基準が満たされて要求(第１の検索結果に対応する第３の検索結果)に対して空チャネルの割り当てを生じ、それによって例えば“1”の値だけこの次のクラスタのクラスタ優先度を増加させる例えば増加／減少システム部8を有する更新システム部7によりこの次のクラスタのクラスタ優先度が更新されるまで、又はこの元のクラスタに空チャネルが存在せずに第４の結果(第２の検索結果に対応する第４の検索結果)を生じ、それによって例えば“1”の値だけこの次のクラスタのクラスタ優先度を減少させる例えば増加／減少システム部8を有する更新システム部7によりこの次のクラスタのクラスタ優先度が更新されるまで、同様に行われる。
【００３３】
第４の結果によれば、選択システム部6は、検索システム部5により検索される更に次のクラスタを選択する。更に、選択システム部6は、更に、選択システム部6は、メモリ14を検索し、例えばクラスタ優先度を相互に比較する第３の比較システム部に対応する更なるシステム部12を介して、次に最高のクラスタ優先度を備えたチャネルの更に次のクラスタを選択する。例えばこのチャネルの更に次のクラスタは、例えば更に周辺のネットワークユニットにより提供される更に周辺のセルに対応する。検索システム部5は、このチャネルの更に次のクラスタで空チャネルを検索し始めるように命令され、最終的にチャネルが割り当てられるまで、又は要求が拒否されるまで、同様に行われる。
【００３４】
要求に対してチャネルが割り当てられるとすぐに、送信システム部13とトランシーバ3等を介して端末が通知を受ける。
【００３５】
従って、本発明は、呼にチャネルを割り当て、前記呼の要求を受信する受信システム部4を有し、チャネルのクラスタ内で利用可能なチャネルを検索する検索システム部5を有し、第１の検索結果に応じて、前記クラスタ内で前記呼に割り当てられる利用可能なチャネルを選択し、第２の検索結果に応じて、少なくとも１つのクラスタ優先度に依存して前記検索システム部により検索される次のクラスタを選択する選択システム部6を有するシステム1に関するものであり、前記システム1は、少なくとも１つの検索結果(例えば第３又は第４の検索結果等)に依存して少なくとも１つのクラスタ優先度を更新する更新システム部7を有することを特徴とする。
【００３６】
本発明は、特に、一方で分離された再計算と再構築を行い、他方で呼処理を行うことが非効率であるという認識に基づいており、特に更新と呼処理が結合され得るという基本的な概念に基づいている。本発明は、特にチャネルを呼に割り当てる更に効率的なシステムを提供する課題を解決し、特にこのシステムが更新と呼処理を統合しているという点で有利である。
【００３７】
システム1は、プロセッサ(全システム部4-13とバス15とコントローラ16)とメモリ14を有するプロセッサシステム4-16に対応してもよく、メモリ14とコントローラ16に対応してシステム部4-13がソフトウェアで実装されてもよい。チャネルのクラスタは、セルに対応してもよく、セルの一部、いくつかのセル又はセルで構成されていないチャネルのグループに対応してもよい。前記干渉信号は、チャネル対干渉率、信号対干渉率、干渉レベル、干渉出力、サービス品質又はQoS等に対応してもよく、更なる信号も除外されない。
【００３８】
呼にチャネルを割り当て、第１にチャネルの自己のクラスタを検索して、第２に空チャネルが検出されるまでチャネルの次のクラスタを検索して、第３にこの空チャネルを選択する検索／選択オプションを有するシステム1は、検索結果に依存して１つ以上のクラスタ優先度を更新する更新オプションを備えている。前記の更新は、利用可能なチャネルを有するクラスタのクラスタ優先度の増加と、利用可能なチャネルを有さないクラスタのクラスタ優先度の減少とを有してもよく、その他の更新オプションとその他の増加／減少の値も除外されない。前記の更新は、借用されるクラスタに対して行われてもよく、元のクラスタに対して行われなくてもよい。また、全てのクラスタに対して行われることがあり、又は借用されるクラスタのうちのいくつかに対して行われることもある。更に更新は、(異なる増加／減少の値を導入すること等により)クラスタ毎に個別でもよく、及び／又は(呼の種類、サービス品質又はQoS、呼自体の優先度等を考慮する等して)更なる要素に依存してもよい。
【００３９】
図２に示されているフローチャートでは、以下のブロックは以下の意味を有する。
ブロック20:開始。21に進む。
ブロック21:要求の到着。22に進む。
ブロック22:元のクラスタで空チャネルを検索し、存在する場合には23に進み、存在しない場合には31に進む。
ブロック23:最高のチャネル優先度を備えた公称の空チャネルを選択し、24に進む。
ブロック24:閾値と干渉信号を比較し、OKである場合には25に進み、そうでない場合には30に進む。
ブロック25:呼にチャネルを割り当て、26に進む。
ブロック26:終了。
ブロック30:最後の公称の空チャネルである場合には31に進み、そうでない場合には40に進む。
ブロック31:最高のクラスタ優先度を備えた次のクラスタを選択し、32に進む。
ブロック32:次のクラスタで空チャネルを検索し、存在する場合には33に進み、存在しない場合には43に進む。
ブロック33:最高の(借用の)チャネル優先度を備えた空チャネルを選択し、34に進む。
ブロック34:干渉信号と閾値を比較し、OKである場合には35に進み、そうでない場合には41に進む。
ブロック35:チャネルを呼に割り当て、36に進む。
ブロック36:(増加により)(クラスタ)優先度を更新し、37に進む。
ブロック37:終了。
ブロック40:最高の優先度以外のものを備えた次の公称の空チャネルを選択し、24に進む。
ブロック41:(減少により)(クラスタ)優先度を更新し、42に進む。
ブロック42:最後の公称の空チャネルである場合には43に進み、そうでない場合には50に進む。
ブロック43:最後の次のクラスタである場合には44に進み、そうでない場合には51に進む。
ブロック44:要求をブロックし、45に進む。
ブロック45:(減少により)(クラスタ)優先度を更新し、46に進む。
ブロック46:終了。
ブロック50:(借用の)チャネル優先度に従って次の空チャネルを選択し、34に進む。
ブロック51:最高のクラスタ優先度を備えた更に次のクラスタを選択し、32に進む。
【００４０】
図２に示されているフローチャートでは、以下の方法のステップ及びプロセッサプログラム製品の機能が存在する。開始する(ブロック20、21に進む)。要求が到着して(ブロック21、22に進む)、検出される。空チャネルについて元のクラスタが検索される(ブロック22、検出された場合には23に進み、検出されない場合には31に進む)。最高のチャネル優先度を備えた公称の空チャネルが選択される(ブロック23、24に進む)。この選択された公称のチャネルの干渉信号が、１つ以上の閾値と比較される(ブロック24、OKである場合には25に進み、そうでない場合には30に進む)。チャネルが呼に割り当てられる(ブロック25、26に進む)。終了する(ブロック26)。選択された公称のチャネルが最後の空チャネルであるか検査される(ブロック30、そうである場合には31に進み、そうでない場合には40に進む)。最高のクラスタ優先度を備えた次のクラスタが選択される(ブロック31、32に進む)。空チャネルについてこの次のクラスタが検索される(ブロック32、検出された場合には33に進み、検出さらない場合には43に進む)。最高の借用のチャネル優先度を備えた空チャネルが選択される(ブロック33、34に進む)。このチャネルの干渉信号が１つ以上の閾値と比較される(ブロック34、OKである場合には35に進み、そうでない場合には41に進む)。チャネルが呼に割り当てられる(ブロック35、36に進む)。(増加により)(クラスタ)優先度を更新する(ブロック36、37に進む)。終了する(ブロック37)。最高の優先度以外のものを備えた次の公称の空チャネルが選択される(ブロック40、24に進む)。(減少により)(クラスタ)優先度を更新する(ブロック41、42に進む)。選択された公称のチャネルが最後の空チャネルであるか検査される(ブロック42、そうである場合には43に進み、そうでない場合には50に進む)。次のクラスタが最後のクラスタであるか検査される(ブロック43、そうである場合には44に進み、そうでない場合には51に進む)。要求がブロックされる(ブロック44、45に進む)。(減少により)(クラスタ)優先度を更新する(ブロック45、46に進む)。終了する(ブロック46)。借用のチャネル優先度に従って次の空チャネルが選択される(ブロック50、34に進む)。最高のクラスタ優先度を備えた更に次のクラスタが選択される(ブロック51、32に進む)。
【００４１】
各チャネルは通常は少なくとも１つのチャネル優先度を有することがわかる。この１つのチャネル優先度は、そのクラスタ内の優先度を示すと共に、その他の(周辺の)クラスタにより借用される際の優先度を示す。しかし、各チャネルが２つ以上のチャネル優先度を有してもよいということが除外されない。第１のチャネル優先度がそのクラスタ内で使用され、第２の(借用の)チャネル優先度がその他の(周辺の)クラスタにより借用される際に使用される。この借用のチャネル優先度は、異なる借用のクラスタで異なってもよい。
【００４２】
呼にチャネルを割り当てる本発明による方法は、前記呼の要求を受信するステップ(21)と、チャネルのクラスタ内で利用可能なチャネルを検索するステップ(22)と、第１の検索結果に応じて、前記クラスタ内で前記呼に割り当てられる利用可能なチャネルを選択するステップ(23、24、25)と、第２の検索結果に応じて、少なくとも１つのクラスタ優先度に依存して検索される(32)次のクラスタを選択するステップ(31)とを有し、前記方法が少なくとも１つの検索結果に依存して少なくとも１つのクラスタ優先度を更新するステップ(36、41、45)を有することを特徴とする。
【００４３】
更なるステップは除外されず、図１の説明に開示された如何なるステップ及び／又は図２に記載された如何なるブロックに対応してもよい。
【００４４】
呼にチャネルを割り当てる本発明によるプロセッサプログラム製品は、前記呼の要求を受信する機能(21)と、チャネルのクラスタ内で利用可能なチャネルを検索する機能(22)と、第１の検索結果に応じて、前記クラスタ内で前記呼に割り当てられる利用可能なチャネルを選択する機能(23、24、25)と、第２の検索結果に応じて、少なくとも１つのクラスタ優先度に依存して検索される(32)次のクラスタを選択する機能(31)とを有し、前記プロセッサプログラム製品が少なくとも１つの検索結果に依存して少なくとも１つのクラスタ優先度を更新する機能(36、41、45)を有することを特徴とする。
【００４５】
更なる機能は除外されず、図１の説明に開示された如何なるステップ及び／又は図２に記載された如何なるブロックに対応してもよい。
【図面の簡単な説明】
【００４６】
【図１】本発明によるシステムを有する本発明によるネットワークユニットをブロック図の形式で示したものである。
【図２】本発明による方法と、本発明によるコンピュータプログラム製品を説明するフローチャートを示したものである。
【図１】
2005528048.tif 000003
【図２】
2005528048.tif 000004
【国際調査報告】
2005528048.tif 000005
2005528048.tif 000006
2005528048.tif 000007